(57)【要約】【課題】健常者だけでなく、手が不自由な車椅子使用者であっても容易に扉を開けることができるようにする。【解決手段】折れ戸１として構成される扉は、その高さ方向略中央に設けられる押動可能な上方ハンドル５と、扉の床面に近い位置に設けられる押動可能な下方ハンドル６と、上方ハンドルと下方ハンドルのいずれが押動されたときも扉のラッチ７を解除するラッチ解除手段とを備える。下方ハンドルの少なくとも一部は、車椅子使用者が車椅子のフットサポートで押動することが可能な位置にあるので、手の不自由な車椅子使用者も容易に開扉操作を行うことができる。【選択図】図１
2015105531.tif 000002
【特許請求の範囲】
【請求項１】
扉の高さ方向略中央に設けられる上方ハンドルと、扉の床面に近い位置に設けられる下方ハンドルと、上方ハンドルと下方ハンドルのいずれが操作されたときも扉のラッチを解除するラッチ解除手段とを備えることを特徴とする扉。
【請求項２】
ラッチ解除手段は、上方ハンドルまたは下方ハンドルを壁面方向に押したときに扉のラッチを解除するものであることを特徴とする、請求項１記載の扉。
【請求項３】
下方ハンドルの少なくとも一部は、車椅子使用者が車椅子のフットサポートで下方ハンドルを押動させることが可能な位置にあることを特徴とする、請求項２記載の扉。
【発明の詳細な説明】
【技術分野】
【０００１】
本発明は扉に関する。
【背景技術】
【０００２】
ドアなどの扉にハンドルなどの扉開閉装置を取り付けて扉を開閉することが従来より行われているが、ハンドルの取付位置は、普通の大人が立って操作することを前提として定められている。このため、身長が低い子供や車椅子使用者にとっては操作がしずらいという問題があった。
【０００３】
この問題を解決するため、特許文献１において、通常の位置に設けられるハンドルの下方に第２のハンドルを設けて、これらを相互に連動させるようにした扉開閉装置が提案されている。これによれば、身長が低い子供や車椅子使用者は、下方のハンドルを回動操作することによって扉を開閉することができる。
【先行技術文献】
【特許文献】
【０００４】
【特許文献１】特開平１１−２８０３０８号公報
【発明の概要】
【発明が解決しようとする課題】
【０００５】
しかしながら、この従来技術では、扉を開けるために手でいずれかのハンドルを回動操作しなければならないため、手が不自由な車椅子使用者は、手が届く下方位置にハンドルがあっても、これを回動操作して扉を開けることが困難または場合によっては不可能である。
【０００６】
したがって、本発明が解決しようとする課題は、健常者だけでなく、手が不自由な車椅子使用者であっても容易に扉を開けることができるようにすることである。
【課題を解決するための手段】
【０００７】
この課題を解決するため、請求項１に係る本発明は、扉の高さ方向略中央に設けられる上方ハンドルと、扉の床面に近い位置に設けられる下方ハンドルと、上方ハンドルと下方ハンドルのいずれが操作されたときも扉のラッチを解除するラッチ解除手段とを備えることを特徴とする扉である。
【０００８】
請求項２に係る本発明は、請求項１記載の扉において、ラッチ解除手段が、上方ハンドルまたは下方ハンドルを壁面方向に押したときに扉のラッチを解除するものであることを特徴とする。
【０００９】
請求項３に係る本発明は、請求項２記載の扉において、下方ハンドルの少なくとも一部が、車椅子使用者が車椅子のフットサポートで下方ハンドルを押動させることが可能な位置にあることを特徴とする。
【発明の効果】
【００１０】
請求項１に係る本発明によれば、ハンドルが上下２箇所に設けられているので、大人は上方ハンドルを操作することによって通常のハンドル操作と同様にして扉を開けることができると共に、背の低い子供や車椅子使用者は下方ハンドルを操作することによって扉を開けることができる。上方ハンドルおよび下方ハンドルのいずれについても、ハンドルを押す操作は、手だけでなく体のどの部分でも行うことができるので、手の不自由な人でも扉を容易に開けることができる。
【００１１】
請求項２に係る本発明によれば、いずれかのハンドルを壁面方向に押したときに扉のラッチを解除することができるので、手の不自由な人でも扉を容易に開けることができる。
【００１２】
請求項３に係る本発明によれば、下方ハンドルの少なくとも一部が車椅子のフットサポートに当たる位置にあるので、車椅子使用者は、ハンドルを手で押さなくても、車椅子ごと前進してフットサポートで下方ハンドルを押して扉を開けることができる。したがって、手の不自由な車椅子使用者であっても、容易に扉を開けることができる。
【図面の簡単な説明】
【００１３】
【図１】本発明の一実施形態による扉の正面図（ａ）および側面図（ｂ）である。
【図２】図１の扉の要部拡大側面図である。
【図３】図１の扉のハンドルの構造を示す分解側面図（ａ）および取付状態側面図（ｂ）である。
【図４】本発明の扉に採用可能なラッチ解除手段の一例を示す要部拡大側面図（ａ）（上方ハンドルおよび下方ハンドルについては片側のみ図示）およびラッチ動作棒と連結部材との連結構成部を示す部分拡大斜視図（ｂ）である。
【図５】本発明の扉に採用可能なラッチ解除手段の他例を示す要部拡大側面図（ａ）（上方ハンドルおよび下方ハンドルについては片側のみ図示）およびこの例で使用可能なラッチ解除ユニットを示す拡大斜視図（ｂ）である。本発明のさらに別の実施形態によるハンドルの要部拡大側面図である。
【図６】本発明の扉に採用可能なハンドル形状の他例およびその好適な固定態様を示す取付状態側面図である。
【発明を実施するための形態】
【００１４】
図１は本発明の一実施形態（実施例１）による扉の正面図（ａ）および側面図（ｂ）であり、図２はその要部拡大側面図である。図示のように、各々平面視矩形状に形成された戸先側パネル２と戸尻側パネル３とが連結部材４によって回動自在（開閉自在）に連結されてなる折れ戸１として構成される扉において、戸先側パネル２の非連結端（閉じ側端）近くの両側面にそれぞれ開閉操作のための上方ハンドル５および下方ハンドル６が取り付けられている。図示省略されているが、折れ戸１は、床面上において、上枠および左右縦枠からなる三方枠として構成される開口枠に設置され、戸先側パネル２は該開口枠の左縦枠側の上端部で上枠に吊持され、戸尻側パネル３は右縦枠側の上端部で上枠に吊持される。戸先側パネル２と戸尻側パネル３とを連結する連結部材４や、戸先側パネル２と戸尻側パネル３を上枠に吊持させるための吊持手段などは公知であり、且つ、本発明の主題に直接関連しないので、詳細説明を省略する。
【００１５】
上方ハンドル５は、従来の扉に設けられるハンドルと同様の高さ位置、すなわち、大人が立って操作することが容易なように扉１の高さ方向略中央に設けられる。一方、下方ハンドル６は、床面近く、好ましくはその少なくとも下端部６４が車椅子のフットサポート（フットレスト）が当たる高さ位置に設けられる。
【００１６】
上方ハンドル５は、把手部材５１と、把手部材５１を扉に固定する固定部材５２とを有する。下方ハンドル６も同様の構成であり、把手部材６１と、把手部材６１を扉に固定する固定部材６２とを有する。この実施例では、把手部材５１，６１の上端に固定部（上端部５３，６３）を設けて把手部材５１，６１を折れ戸１の戸先側パネル２の両側面に固定し、該固定部の近くでパネル面から離れるように湾曲させて把手部材５１，６１の回動ストロークを確保している。
【００１７】
上方ハンドル５および下方ハンドル６は、いずれも、パネル面に近付くように押したときに、戸先側パネル２の閉じ側端の木口面に設けられたラッチ７を解除して開扉することができるプッシュレバー式のハンドルとして構成されている。また、上方ハンドル５および下方ハンドル６のいずれが押動されたときであっても扉のラッチを解除することができるように構成されている。
【００１８】
上方ハンドル５または下方ハンドル６の押動によってラッチ解除するラッチ解除手段の一例が図４に示されている。公知のように、ラッチ７はラッチ機構８が備える付勢手段（図示せず）により常に突出する方向に付勢されており、戸先側パネル２が閉じた状態にあるときに、開口枠の左縦枠において対応する高さ位置に形成されたラッチ係合凹部（図示せず）に係合して戸先側パネル２を閉じた状態に維持するが、本発明の扉では、上方ハンドル５と下方ハンドル６のいずれかを押せばラッチ７を解除することができるようにラッチ解除手段が設けられている。以下、図３も併せて参照して、ラッチ機構８およびラッチ解除手段について説明する。
【００１９】
図３は、ハンドル構造を示す分解側面図（ａ）および取付状態側面図（ｂ）である。ハンドル構造は上方ハンドル５と下方ハンドル６とについて共通であり、図３には上方ハンドル５の構造が示されている。把手部材５１は、その上端部５３の内面側に嵌合片５５が一体に形成され、さらに嵌合片５５からラッチ動作棒５６が突出している。嵌合片５５は、戸先側パネル２の閉じ側端近くのパネル面に所定高さ位置で固定された固定部材５２の嵌合穴５７に収容され、ピン穴５８（５８ａ，５８ｂ）にピン（図示せず）を通すことにより、ピンを中心として嵌合穴５７内において若干の回動が許容されるように取り付けられている。この取付状態において、ラッチ動作棒５６は、固定部材５２の嵌合穴５７を貫通して戸先側パネル２の厚さ内に突出する。そのラッチ機構嵌合部５６ａ上に、該パネル厚さ内を上下に移動可能な移動部材８１が載置される。かかる構成において、ハンドル５の把手部材５１を押すと、嵌合凹部５７に嵌合された嵌合片５５がピン（ピン穴５８ａ，５８ｂ）を中心として図示時計方向に回動するので、ラッチ解除手段として働くラッチ動作棒５６の上面のラッチ機構嵌合部５６ａ上に載置された移動部材８１を上方に移動させる。かかる構成において、上方ハンドル５の把手部材５１がパネル面に向けて押されると、嵌合穴５７に嵌合された嵌合片５５がピン（ピン穴５８ａ，５８ｂ）を中心として図示時計方向に回動するので、ラッチ動作棒５６が上方に移動し、その上面のラッチ機構嵌合部５６ａに載置されるラッチ機構８の移動部材８１を介してラッチ機構８の前記付勢手段を緩めてラッチ７をラッチ係合凹部から開放する。これにより、連結部材４を介して戸先側パネル２を開放することができる。このようなラッチ機構８およびラッチ解除手段は公知であり、且つ、本発明の主題に直接関連しないので、詳細説明を省略する。また、他のラッチ機構・ラッチ解除手段を採用しても良い。
【００２０】
なお、下方ハンドル６の構造は図示しないが図３に示される上方ハンドル５の構造と同様であり、その各部の符号は、図３に示される上方ハンドル５の各部に付された符号の１０の位の数字を「６」から「５」に代えたものとする。すなわち、下方ハンドル６の把手部材の符号は６１であり、その上端部６３が固定部材５２を介して戸先側パネル２の閉じ側端近くのパネル面に床面近くの位置で固定され、パネル面に向けて押したときにピン穴６８（６８ａ，６８ｂ）に挿入したピンを中心として図示時計方向に回動し、ラッチ動作棒６６のラッチ機構嵌合部６６ａに載置されるラッチ機構８の移動部材８２を上方に移動させる。
【００２１】
図４を参照して、上記のようにしてラッチ動作棒５６が上方移動すると、公知のラッチ機構８を介して、ラッチ７をラッチ係合凹部から開放すると共に、連結部材４を介して戸先側パネル２を開けることができる。この一連の動作は、上方ハンドル５が押動操作されたときに実行されるものとして説明したが、上方ハンドル５のラッチ動作棒５６により移動する移動部材８１と下方ハンドル６のラッチ動作棒６６により移動する移動部材８２は、それらの先端でピン８３，８４および連結部材８５を介して連結されている。したがって、下方ハンドル６を押して移動部材８２が上方に移動すると、これらを介して移動部材８１も上方に移動して、ラッチ７が解除され、開扉可能になる。連結部材８５が上下移動すると、この連結部材８５の上下端に連結される移動部材８１，８２は連結部材８５との間で相対的に回転することになるので、連動時の動きをスムーズにするために、移動部材８１，８２はピン８３，８４で連結部材８５の上下端にそれぞれ回転可能に連結されている。
【００２２】
この構成によれば、上方ハンドル５の把手部材５１は大人が立ってハンドル操作しやすい高さ位置に設置されると共に、下方ハンドル６の把手部材６１はその下端部６４が床面近く、好ましくは車椅子のフットサポート（フットレスト）が当たる位置まで延長しており、上方ハンドル５を押したときは直接ラッチを解除し、下方ハンドル６を押したときは上述の連動機構を介してラッチを解除することができるように形成されている。また、ハンドル５，６はいずれもプッシュレバー式であるから、体の一部で押したり車椅子などで押して開扉することが可能である。したがって、健常者はもちろんのこと、背の低い子供や車椅子使用者でも容易に開扉可能であり、特に手の不自由な車椅子使用者にとっては、自らは扉を開けるために何らの操作も行わずに、車椅子ごと前進することにより車椅子のフットサポート（フットレスト）で下方ハンドル６の把手部材下端部６４を押して開扉することができる。
【００２３】
上方ハンドル５または下方ハンドル６の押動によってラッチ解除するラッチ解除手段における連結部材は、図４に連結部材８５として示されるような板状ないし棒状の剛性部材（木製、金属製、硬質合成樹脂製など）を用いることに代えて、図５に示すようなワイヤー状ないし帯状の連結部材８６を用いても良い。この構成によれば、移動部材８１と移動部材８２とが、滑車８７（８７ａ〜８７ｄ）によって規定される所定走行路を走行可能なワイヤー状ないし帯状の連結部材８６で連結されており、下方ハンドル６を押して移動部材８２が上方移動すると、これによって連結部材８６を介して移動部材８１も同時に上方移動するので、ラッチ７が解除される。連結部材８６および滑車８７は、図５（ｂ）に示すように、あらかじめケース８８に収容してユニット化したものを戸先側パネル２の閉じ側木口面から埋設固定しても良い。連結部材およびこれに関連する部材を除く構成は図４と同様であるので、説明を省略する。
【００２４】
ラッチ解除手段について図４および図５を参照して説明したが、ラッチ解除手段はこれらに限定されるものではなく、上方ハンドル５および下方ハンドル６のいずれを押したときであってもラッチ７を解除することができるものであれば他の構成を採用しても良い。２部材の動きを連動させる連動機構としては各種のものが提案されており、それらの中から任意に選択して本発明に採用することができる。
【００２５】
図６は、本発明の扉に採用可能なハンドル形状の他例およびその好適な固定態様を示す取付状態側面図であるが、基本構成は既述実施形態におけるハンドル５，６と同様であるので、同一または対応する部材・要素には同一の符号を付して、これらについての説明を割愛する。既述実施形態と異なる点は、ハンドル５，６の形状および構成について、既述実施形態では、把手部材５１，６１６の固定部（上端部５３，６３）から下方に向かう部分をパネル面から離れるように湾曲させて把手部材５１，６１の回動ストロークを確保しているのに対し、図６の実施例では、把手部材５１，６１を直線状に延長するものとして形成している点である。この場合は、開扉操作の際に把手部材５１，６１が回動するストロークを確保するために、嵌合片５５，６５および固定部材５２，６２を若干長くして、直線状の把手部材５１，６１とパネル面との間にある程度の間隔を設けるようにしている。
【符号の説明】
【００２６】
１  扉（折れ戸）
２  戸先側パネル
３  戸尻側パネル
３  連結部材
５  上方ハンドル
５１  把手部材
５２  固定部材
５３  上端部
５４  下端部
５５  嵌合片
５６  ラッチ動作棒
５６ａ  ラッチ機構嵌合部
５７  嵌合凹部
５８（５８ａ，５８ｂ）  ピン穴
５９  穴
６  下方ハンドル
６１  把手部材
６２  固定部材
６３  上端部
６４  下端部
６５  嵌合片
６６  ラッチ動作棒
６６ａ  ラッチ機構嵌合部
６７  嵌合凹部
６８  ピン穴
６９  穴
７  ラッチ
８  ラッチ機構
８１  移動部材
８２  移動部材
８３  ピン
８４  ピン
８５  連結部材
８６  連結部材
８７（８７ａ〜８７ｄ）  滑車
８８  ケース
【図１】
2015105531.tif 000003
【図２】
2015105531.tif 000004
【図３】
2015105531.tif 000005
【図４】
2015105531.tif 000006
【図５】
2015105531.tif 000007
【図６】
2015105531.tif 000008